(57)【要約】【課題】本発明は、補強ワイヤーが水着のバスト部に設けられていない水着を着用する場合であっても水着着用者のバストアップを図り、水着着用者のバストラインを美しく見せることができる水着用バストカップを提供する。【解決手段】実施例の水着用バストカップ１０のカップ部１２は山型状に一体形成して構成されている。前記カップ部１２の下縁部１２Ａには略Ｕ字状の布製のループ部１４が下縁部１２Ａに沿って形成されている。また、このループ部１４は空洞に形成されており、金属製で弾性力を有する略Ｕ字状の補強ワイヤー１６が挿入されている。この補強ワイヤー１６の一端部１６Ａと他端部１６Ｂの距離寸法Ｃは前記ループ部１４の一端部１４Ａと他端部１４Ｂの距離寸法Ｄよりも短く形成されている。【選択図】図１
2015120986.tif 000002
【特許請求の範囲】
【請求項１】
水着のバスト部に着脱可能に配設される水着用バストカップであって、山型状に形成されたカップ部と、このカップ部の下縁部に下縁部に沿って形成されたＵ字状のループ部と、このループ部に挿入されるＵ字状の補強ワイヤーと、を有してなることを特徴とする水着用バストカップ。
【請求項２】
水着のバスト部に着脱可能に配設される水着用バストカップであって、山型状に形成されたカップ部と、このカップ部の下縁部に下縁部に沿って形成されたＵ字状のループ部と、このループ部に挿入されると共に一端部と他端部の距離寸法が前記ループ部の一端部と他端部の距離寸法よりも短く形成されたＵ字状の補強ワイヤーと、を有してなることを特徴とする水着用バストカップ。
【請求項３】
水着のバスト部に着脱可能に配設される水着用バストカップであって、山型状に形成されたカップ部と、このカップ部の下縁部に下縁部に沿って形成されたＵ字状のループ部と、このループ部に挿入されると共に一端部と他端部の距離寸法が前記ループ部の一端部と他端部の距離寸法よりも短く形成されたＵ字状の補強ワイヤーと、前記カップ部に設けられると共にカップ部の上下方向寸法の中間点よりも上方に設けられたトップ部と、を有してなることを特徴とする水着用バストカップ。
【請求項４】
前記カップ部の背面側にパッド収容ポケット形成布を設けることによりカップ部とパッド収容ポケット形成布ケットの間に修正バストパッド収容ポケットを形成したことを特徴とする請求項１、請求項２、請求項３のいずれか１項に記載した水着用バストカップ。
【請求項５】
前記補強ワイヤーは弾性力を有していることを特徴とする請求項１、請求項２、請求項３、請求項４のいずれか１項に記載した水着用バストカップ。
【発明の詳細な説明】
【技術分野】
【０００１】
本発明は、主に女性用水着のバスト部に配設されて使用される水着用バストカップに関する。
【背景技術】
【０００２】
トップスとパンツから成るいわゆるビキニ水着においては、トップスのバスト部の下縁部には下縁部に沿って補強ワイヤーが内設されて、水着着用者のバストアップを図り水着着用者のバストラインを美しく見せるようにしている。
しかし、ビキニ水着のなかでバンドゥービキニと称されるタイプのビキニ水着等においてはトップスのバスト部の下縁部には補強ワイヤーは内設されていない。そのため前記バンドゥービキニのトップスを着けるとバストアップを図れず、バストラインを美しく見せることが困難になる場合がある。
そこで、前記バンドゥービキニを着用する場合はトップスのバスト部にバストカップを差し込んで水着着用者のバストアップを図りバストラインの美しく見せるようにしている（特許文献１）。
しかし、従来のバストカップは薄いシリコーンゴム等を山型に形成しただけの構造であるのでバストカップ全体が柔らかく、水着着用者のバストアップを図ることが十分でなくバストラインを美しく見せることができない場合がある。
【先行技術文献】
【特許文献】
【０００３】
【特許文献１】特開平７−２９２５０５号
【発明の概要】
【発明が解決しようとする課題】
【０００４】
本発明は、上記事実に鑑みなされたものであり、補強ワイヤーが水着のバスト部に設けられていない水着を着用する場合であっても水着着用者のバストアップを図り、水着着用者のバストラインを美しく見せることができる水着用バストカップを提供するものである。
【課題を解決するための手段】
【０００５】
請求項１の発明は、水着のバスト部に着脱可能に配設される水着用バストカップであって、山型状に形成されたカップ部と、このカップ部の下縁部に下縁部に沿って形成されたＵ字状のループ部と、このループ部に挿入されるＵ字状の補強ワイヤーと、を有してなることを特徴としている。
請求項２の発明は、水着のバスト部に着脱可能に配設される水着用バストカップであって、山型状に形成されたカップ部と、このカップ部の下縁部に下縁部に沿って形成されたＵ字状のループ部と、このループ部に挿入されると共に一端部と他端部の距離寸法が前記ループ部の一端部と他端部の距離寸法よりも短く形成されたＵ字状の補強ワイヤーと、を有してなることを特徴としている。
請求項３の発明は、水着のバスト部に着脱可能に配設される水着用バストカップであって、山型状に形成されたカップ部と、このカップ部の下縁部に下縁部に沿って形成されたＵ字状のループ部と、このループ部に挿入されると共に一端部と他端部の距離寸法が前記ループ部の一端部と他端部の距離寸法よりも短く形成されたＵ字状の補強ワイヤーと、前記カップ部に設けられると共にカップ部の上下方向寸法の中間点よりも上方に設けられたトップ部と、を有してなることを特徴としている。
請求項４の発明は、前記カップ部の背面側にパッド収容ポケット形成布を設けることによりカップ部とパッド収容ポケット形成布ケットの間に修正バストパッド収容ポケットを形成したことを特徴としている。
請求項５の発明は、前記補強ワイヤーは弾性力を有していることを特徴としている。
【発明の効果】
【０００６】
本発明の水着用バストカップは、バストカップの下縁部に補強ワイヤーが内設されているのでバスト部に補強ワイヤーが設けられていない水着を着用しても、水着着用者のバストアップを図ることができると共に水着着用者のバストラインを美しく見せることができるという優れた効果を有する。
また、請求項２〜請求項５の水着用バストカップは、上記優れた効果の他に補強ワイヤーの一端部と他端部の距離寸法はループ部の一端部と他端部の距離寸法よりも短く形成されているため、補強ワイヤーをループ部に収容するとループ部は補強ワイヤーによって一端部と他端部が接近してカップ部が高くなり水着のバスト部を高くすることができると共にバストラインを高く、美しく見せることができるという優れた効果を有する。
【図面の簡単な説明】
【０００７】
【図１】実施例の水着用バストカップの正面図である。
【図２】実施例の水着用バストカップの右側面図である。
【図３】実施例の水着用バストカップの左側面図である。
【図４】実施例の水着用バストカップの底面図である。
【図５】実施例の水着用バストカップとバスト調節パッドの背面図である。
【図６】実施例のループ部と補強ワイヤーの正面図である。
【図７】実施例の水着用バストカップを水着のトップスのバスト部に差し込む状態図である。
【図８】実施例の水着用バストカップが配設された水着のトップスの斜視図である。
【発明を実施するための形態】
【０００８】
発明を実施するために最良の形態の例として以下のような実施例を示す。
【実施例１】
【０００９】
図１〜図８には本発明に係る水着用バストカップ１０の一実施例が示されている。なお、水着用バストカップ１０は左右一対で使用されるが、水着用バストカップ１０は左右対称構造であるので、一方の水着用バストカップ１０のみを説明する。
図１に示されるように、実施例の水着用バストカップ１０のカップ部１２は表面に薄いポリエステル生地が圧着された肉厚の薄いウレタン等の合成樹脂素材に熱を加えながらプレス成形することにより山型状に一体形成して構成されている。
この実施例のカップ部１２は正面視楕円状に形成され、左右方向寸法Ａが１１５ｍｍ、上下方向寸法Ｂが９５ｍｍに設定されている。
前記カップ部１２の下縁部１２Ａには布製のループ部１４が下縁部１２Ａに沿って形成されている。また、このループ部１４は空洞に形成されており、金属製で弾性力を有する略Ｕ字状の補強ワイヤー１６（図６参照）が挿入されている。
図６に示されるように、この補強ワイヤー１６の一端部１６Ａと他端部１６Ｂの距離寸法Ｃは前記ループ部１４の一端部１４Ａと他端部１４Ｂの距離寸法Ｄよりも短く形成されている。
図１に示されるように、前記カップ部１２の上縁部１２Ｂにはエッジテープ布１８が縫着されてカップ部１２の縁取りをしている。また、図２に示されるように、前記カップ部１２のエッジテープ布１８はループ部１４よりも前側（図２左側）に位置するように形成されている。
図２及び図３に示されるように、前記カップ部１２のトップ部１２Ｃは水着用バストカップ１０の上下方向寸法Ａの中間点よりも上方に寄って形成されている。
また、図２、図３、図４に示されるように、前記カップ部１２の下勾配面１２Ｄと側勾配面１２Ｅは傾斜が急になるように形成されている。
図５に示されるように、前記カップ部１２の背面側１２Ｆにはパッド収容ポケット形成布２０が配設され、パッド収容ポケット形成布２０の下縁２０Ａは前記カップ部１２の下縁部１２Ａと縫着され、パッド収容ポケット形成布２０の上縁２０Ｂは前記カップ部１２の上縁部１２Ｂと縫着されている。
これにより、前記パッド収容ポケット形成布２０とカップ部１２との間には修正バストパッド収容ポケット２２が形成されている。この修正バストパッド収容ポケット２２にはポケット開口部２４を介して水着着用者のバストの形を修正調整する公知のバスト調節パッド２６を着脱可能に修正バストパッド収容ポケット２２に収容することができるようになっている。
【００１０】
次に、一実施例の水着用バストカップ１０の作用を説明する。
実施例の水着用バストカップ１０を使用する場合は、図７に示されるように水着用バストカップ１０をバンドゥービキニ１のトップス２のバスト部３の背面に形成されたバストカップ収容部４に差し込んで収容する。
前記水着用バストカップ１０のループ部１４には補強ワイヤー１６が内蔵されているので、水着用バストカップ１０をバストカップ収容部４に差し込む場合に水着用バストカップ１０の下縁部が撓み過ぎないので、水着用バストカップ１０をバストカップ収容部４に円滑かつ迅速に差し込むことができる。
従って、バンドゥービキニ１のように補強ワイヤーが設けられていない水着を着用した場合であっても、本発明の水着用バストカップ１０を使用することにより水着着用者のバストアップを図ることができ、バストラインを美しく見せることができる。
しかも、前記水着用バストカップ１０の補強ワイヤー１６の一端部１６Ａと他端部１６Ｂの距離寸法Ｃは前記ループ部１４の一端部１４Ａと他端部１４Ｂの距離寸法Ｄよりも短く形成されているため、ループ部１４に補強ワイヤー１６を挿入するとループ部１４は補強ワイヤー１６によって一端部１４Ａと他端部１４Ｂが接近するように撓む。
これにより、前記カップ部１２のトップ部１２Ｃが高くなり、図８に示すようにバンドゥービキニ１のトップス２のバスト部３を高くすることができるので、バストラインを高く見せることができる。
さらに、前記バスト部２に収容された水着用バストカップ１０のカップ部１２のトップ部１２Ｃはカップ部１２の上下方向寸法Ａの中間点よりも上方に形成されている。また、前記カップ部１２の下勾配面１２Ｄと側勾配面１２Ｅは傾斜が急になるように形成されている。
従って、前記カップ部１２のトップ部１２Ｃはカップ部１２の上下方向寸法Ａの中間点よりも上縁部１２Ｂ側に寄って形成されると共にカップ部１２の下勾配面１２Ｄと側勾配面１２Ｅは傾斜が急になるように形成されているので、より一層バストアップをアピールでき、バストラインを美しくみせることができる。
また、水着用バストカップ１０のエッジテープ布１８はループ部１４よりも前側（図２左側）に位置するように形成されているので、バンドゥービキニ１を着用した場合にエッジテープ布１８は水着着用者のバストに強く当たらないため、エッジテープ布１８が水着着用者のバストに強く当接してバストが窪んでバストに段ができるのを防止することができる。
【００１１】
なお、実施例の水着用バストカップ１０にはカップ部１２の背面側１２Ｆにパッド収容ポケット形成布２０を設けたが、必ずしもカップ部１２の背面側１２Ｆにパッド収容ポケット形成布２０を設けなくてもよい。この場合、修正バストパッド収容ポケット２２は形成されないのでバスト調節パッド２６を収容することはできない。
しかし、前記パッド収容ポケット形成布２０を設けないので、水着用バストカップ１０をより経済的に製造できると共に経済的に提供することができるというメリットを有する。
【００１２】
なお、実施例では水着用バストカップ１０をバンドゥービキニ１に使用した場合を例にして説明したが、水着用バストカップ１０はバンドゥービキニ１以外の水着に使用してもよいことは勿論である。
また、実施例では水着用バストカップ１０のカップ部１２の左右方向寸法Ａを１１５ｍｍ、上下方向寸法Ｂを９５ｍｍに設定した場合を示したが、水着用バストカップ１０のカップ部１２の大きさは実施例の大きさに限定されるものでないことは勿論である。
なお、実施例では水着用バストカップ１０のカップ部１２をウレタン等の合成樹脂素材の表面に薄いポリエステル生地を圧着して形成したが、素材はこれに限定されるものでないことは勿論である。
また、実施例では補強ワイヤー１６を金属製にしたが、補強ワイヤー１６の材料は金属に限定されるものでなく、例えば合成樹脂等で補強ワイヤー１６を形成してもよいことは勿論である。
【産業上の利用可能性】
【００１３】
本発明の水着用バストカップ１０はビキニ以外の水着にも使用することができる。
【符号の説明】
【００１４】
１０    水着用バストカップ
１２    カップ部
１２Ａ  下縁部
１２Ｂ  上縁部
１２Ｃ  トップ部
１２Ｄ  下勾配面
１２Ｅ  側勾配面
１２Ｆ  背面側
１４    補強ループ部
１６    補強ワイヤー
１８    エッジテープ布
２０    パッド収容ポケット形成布
２０Ａ  下縁
２０Ｂ  上縁
２２    修正バストパッド収容ポケット
２４    ポケット開口部
【図１】
2015120986.tif 000003
【図２】
2015120986.tif 000004
【図３】
2015120986.tif 000005
【図４】
2015120986.tif 000006
【図５】
2015120986.tif 000007
【図６】
2015120986.tif 000008
【図７】
2015120986.tif 000009
【図８】
2015120986.tif 000010